(57)【要約】      （修正有）【課題】冷蔵庫の外箱と内箱の間に設けた電気部品を収納する空間の周辺に配置する真空断熱材の構造を簡素化することによるコストダウンと、電気品を収納する空間の周辺で発生する熱漏洩量を抑える。【解決手段】外箱と内箱によって形成される断熱部材を設ける空間内に冷蔵庫の運転を制御するための制御基板や電源基板等の電気部品を収納する収納部と収納部を保護する保護蓋を設け、電気部品を前記収納部の底面に固定する構造とし、収納部の底面と前記外箱のなす角をθ、電気部品の長さをＬ１、電気部品の前記外箱への投影高さをＴ１、電気部品と外箱あるいは保護蓋までの安全距離をｔとした場合、（式）ｓｉｎθ≦（Ｔ１＋ｔ）／Ｌ１の関係を満たす。【選択図】図３
2019132568.tif 000002
【特許請求の範囲】
【請求項１】
外箱と内箱とによって形成される空間内で且つ前記外箱または前記内箱に沿って真空断熱材を配置すると共に前記空間内に発泡断熱材を充填して断熱部材を設けた断熱箱体を構成した冷蔵庫において、
前記外箱と内箱によって形成される断熱部材を設ける空間内に前記冷蔵庫の運転を制御するための制御基板や電源基板等の電気部品を収納する収納部と収納部を保護する保護蓋を設け、前記電気部品を前記収納部の底面に固定する構造とし、
前記収納部の底面と前記外箱のなす角をθ、前記電気部品の長さをＬ１、前記電気部品の前記外箱への投影高さをＴ１、前記電気部品と前記外箱あるいは前記保護蓋までの安全距離をｔとした場合、式（１）
【数１】
2019132568.tif 000007
の関係を満たすことを特徴とした冷蔵庫。
【請求項２】
請求項１記載の冷蔵庫において、
前記収納部の底面と前記外箱のなす角をθ、前記収納部の底面と前記外箱の交点から前記電気部品までの距離をＬ２、前記電気部品の基板の厚さをＴ２とした場合、式（２）
【数２】
2019132568.tif 000008
の関係を満たすことを特徴とした冷蔵庫。
【請求項３】
前記収納部の底面と前記外箱の交点の間に段差を設けたことを特徴とする、請求項１に記載の冷蔵庫。
【発明の詳細な説明】
【技術分野】
【０００１】
本発明は冷蔵庫に関する。
【背景技術】
【０００２】
従来、冷蔵庫の断熱箱体及び断熱扉は、外箱と内箱の間の空間に真空断熱材と、気泡を有する硬質ウレタンフォームにより断熱材を形成しており、断熱箱体の内部に設けた空間に冷蔵庫の運転を制御するための制御基板や電源基板等の電気部品を収納している。
【０００３】
従来から断熱箱体内部の電気部品を収納する空間は、断熱箱体の外箱と内箱の間にある断熱材の空間と同一の場所に設けているため、電気部品を収納する空間の周辺は断熱材の厚さが薄くなってしまう。このような事情に対処すべく、断熱性能の高い真空断熱材を重点配置する構造などが用いられてきた（特許文献１）。
【先行技術文献】
【特許文献】
【０００４】
【特許文献１】特開２００９−２２８９１７号公報
【発明の概要】
【発明が解決しようとする課題】
【０００５】
しかしながら電気部品を収納する空間の周辺は形状が複雑化するので、空間を隙間なく覆うために真空断熱材の構造が複雑化しコストアップの要因となる。一方で、コストアップを抑えるために真空断熱材の配置を簡素化した場合には、断熱性能の低い部位が存在し熱漏洩量が増加する。
【課題を解決するための手段】
【０００６】
前記課題を解決する本発明は、外箱と内箱とによって形成される空間内で且つ前記外箱または前記内箱に沿って真空断熱材を配置すると共に前記空間内に発泡断熱材を充填して断熱部材を設けた断熱箱体を構成した冷蔵庫において、前記外箱と内箱によって形成される断熱部材を設ける空間内に前記冷蔵庫の運転を制御するための制御基板や電源基板等の電気部品を収納する収納部と収納部を保護する保護蓋を設け、前記電気部品を前記収納部の底面に固定する構造とし、前記収納部の底面と前記外箱のなす角をθ、前記電気部品の長さをＬ１、前記電気部品の前記外箱への投影高さをＴ１、前記電気部品と前記外箱あるいは前記保護蓋までの安全距離をｔとした場合、式（１）の関係を満たす。
【０００７】
【数１】
2019132568.tif 000003
【発明の効果】
【０００８】
本発明によれば、冷蔵庫内部の食品収納スペースの容積を確保しつつ、外箱と内箱の間に設けた電気部品を収納する空間の周辺に配置する真空断熱材の構造を簡素化することによるコストダウンと、電気品を収納する空間の周辺で発生する熱漏洩量を抑えた冷蔵庫を提供することができる。
【図面の簡単な説明】
【０００９】
【図１】実施例１の冷蔵庫の正面図である。
【図２】実施例１の冷蔵庫の断面図である。
【図３】実施例１の電気部品の配置図である。
【図４】実施例２の電気部品の配置図である。
【図５】実施例３の電気部品の配置図である。
【発明を実施するための形態】
【００１０】
本発明の実施例を添付の図面を参照しつつ説明する。
【実施例１】
【００１１】
図１は実施例１の冷蔵庫の正面図、図２は図１のＡ−Ａ断面図である。
【００１２】
冷蔵庫本体１は、断熱箱体２と断熱扉３ａ、３ｂ、４ａ、４ｂ、５、６とを主要構成要素として備えている。この断熱箱体２は、天面、底面、両側面及び背面からなり、前面は開口した箱型形状をしている。そして、断熱箱体２は、図２に示すように、冷蔵室７、製氷室８ａ、及び上段冷凍室８ｂ、冷凍室９、野菜室１０を上からこの順に有している。
【００１３】
断熱扉３ａ〜６は、各室７〜１０の前面開口部を閉塞する扉である。各室７〜１０に対応して冷蔵室扉３ａ、３ｂ、貯氷室扉４ａ及び上段冷凍室扉４ｂ、冷凍室扉５、野菜室扉６が配置されている。冷蔵室扉３ａ、３ｂはヒンジ１１を中心に回動する観音開き式扉であり、冷蔵室扉３ａ、３ｂ以外の扉は全て引き出し式の扉である。これらの引き出し式扉４〜６を引き出すと、各室を構成する容器が扉と共に引き出されてくる。各扉３〜６は断熱箱体２を密閉するためのパッキン（図示せず）を備えている。このパッキンは各扉３〜６の室内側外周縁に取り付けられている。
【００１４】
また、冷蔵室７と製氷室８ａ及び上段冷凍室８ｂとの間は、区画断熱するための断熱仕切り１２が配置されている。この断熱仕切り１２は、厚さ３０〜５０ｍｍ程度の断熱壁であり、発泡スチロール、発泡断熱材（例えばウレタンフォーム）、真空断熱材等のそれぞれを単独使用又は複数の断熱材を組み合わせて作られている。また、製氷室８ａ及び上段冷凍室８ｂと下段冷凍室９との間は、温度帯が同じであるため区画断熱する断熱仕切りではなく、パッキン受面を形成する仕切り部材１３が設けられている。下段冷凍室９と野菜室１０との間には、区画断熱するための断熱仕切り１４が設けられている。この断熱仕切り１４は、断熱仕切り１２と同様の構造で、３０〜５０ｍｍ程度の断熱壁である。基本的に冷蔵、冷凍等の貯蔵温度帯の異なる部屋の仕切りには断熱仕切りが設置されている。
【００１５】
なお、断熱箱体２内には上から冷蔵室７、製氷室８ａ及び上段冷凍室８ｂ、下段冷凍室９、野菜室１０の貯蔵室をそれぞれ区画形成しているが、各貯蔵室の配置については特にこれに限定するものではない。また、冷蔵室扉３ａ、３ｂ、製氷室扉４ａ、上段冷凍室扉４ｂ、下段冷凍室扉５、野菜室扉６に関しても回転による開閉、引き出しによる開閉及び扉の分割数等、特に限定するものではない。
【００１６】
断熱箱体２は、金属製の外箱１５と合成樹脂製の内箱１６とを備え、外箱１５と内箱１６とによって形成される空間に断熱部を設けて各貯蔵室と外部とを断熱している。この外箱１５または内箱１６の内側に沿って真空断熱材１７を配置し、真空断熱材１７以外の空間に硬質ウレタンフォーム等の発泡断熱材１８を充填して断熱部が構成されている。
【００１７】
外箱１５は、折り曲げられた鋼板または平坦な鋼板を溶接することにより、天面、底面、両側面及び背面からなる箱状に形成されている。内箱１６は、合成樹脂板を成形することにより、天面、底面、両側面及び背面からなる箱状に形成されている。
【００１８】
冷蔵室７を所定の温度に冷却するために、冷蔵室７の背側には冷却器１９ａが、製氷室８ａ、冷凍室９、野菜室１０等の各室を所定の温度に冷却するために製氷室８ａ、冷凍室９の背側には冷却器１９ｂが備えられている。この冷却器１９ａ、１９ｂと圧縮機２０と凝縮器（図示せず）とキャピラリーチューブ（図示せず）とを接続し、冷凍サイクルを構成している。冷却器１９ａ、１９ｂのそれぞれの上方には冷却器１９ａ、１９ｂにて冷却された冷気を冷蔵庫内に循環して所定の低温温度を保持する送風機２１ａ、２１ｂが配設されている。
【００１９】
断熱箱体２の天面の後部には、冷蔵庫本体１の運転、ならびに圧縮機２０、送風機２１ａ、２１ｂを制御するための制御基板や電源基板等の電気部品２２を収納するための収納部２３が形成されており、電気部品２２は収納部２３の底面２４に固定されている。これによって、外箱１５の天面は収納部２３による立体形状を呈することとなる。電気部品２２は発熱量が大きな自己発熱部品である。収納部２３には、電気部品２２と収納部２３を保護する保護蓋２５が設けられている。保護蓋２５の高さは外観意匠性と内容積確保を考慮して、外箱１５の天面とほぼ同じ高さになるように配置している。保護蓋２５の高さが外箱の天面よりも突き出る場合は１０ｍｍ以内の範囲に収めることが望ましい。収納部２３は発泡断熱材１８側に電気部品２２を収納する空間だけ窪んだ状態であるため、発泡断熱材１８を厚くしてこの部分の断熱性能を確保しようとすると、内容積が犠牲になってしまう。逆に、内容積を確保しようとすると、収納部２３と内箱１６の間の発泡断熱材１８の厚さが薄くなり、断熱性能が悪くなってしまう。
【００２０】
これらのことから、収納部２３の発泡断熱材１８側の面に真空断熱材１７を配置して断熱性能を強化している。具体的には、真空断熱材１７を収納部２３の底面２４に跨るように１枚の真空断熱材１７を設置している。
【００２１】
断熱箱体２の底面の後部に機械室２６が左右全幅にわたって形成されている。この機械室２６には圧縮機２０及び凝縮器（図示せず）が配置されている。圧縮機２０、凝縮器は発熱量の大きい自己発熱部品である。そこで、この機械室２６から庫内への熱侵入を防止するため、内箱１６側への投影面に１枚の立体形状の真空断熱材（図示せず）を配置している。
【００２２】
図３は図２におけるＡ−Ａ断面の上部拡大図である。本実施例では、外箱１５の天板部と収納部２３の底部２４がなす角度θを極力鋭角化し、電気部品２２の発熱が冷蔵室７へ進入するのを防ぐために収納部２３の底部２４に設けている真空断熱材１７の取り付け構造を簡素化し熱漏洩を防ぐ構造を有している。具体的には、収納部２３に収納される電気部品２２の前後方向の長さをＬ１（例えば１２０ｍｍ）、電気部品２２の外板の後面投影高さをＴ１（例えば４０ｍｍ）、電気部品２２と電気部品２２の上部にある保護蓋との接触や電気的絶縁を考慮した安全距離をｔ（例えば３０ｍｍ）とした場合、次式（１）を満たすように構成する。
【００２３】
【数２】
2019132568.tif 000004
【００２４】
このような角度θとすることで収納部２３の容積を最小限とすることができるため、発泡断熱材１８を充填する空間の確保や冷蔵室７の容積を確保することができ、かつ、外板１５の天板部と収納部２３の底部２４がなす角度θを鋭角化できるため、底面２４に沿って設ける真空断熱材１７の配置を簡素化することができる。
【実施例２】
【００２５】
図４は図２におけるＡ−Ａ断面の上部拡大図である。本実施例では、外箱１５の天板部と収納部２３の底部２４がなす角度θを極力鋭角化し、電気部品２２の発熱が冷蔵室７へ進入するのを防ぐために収納部２３の底部２４に設けている真空断熱材１７の取り付け構造を簡素化し熱漏洩を防ぐ構造を有している。具体的には、収納部２３の底面２４と外板１５の天板部の交点と、収納部２３に収納される電気部品２２までの長さをＬ２（例えば２００ｍｍ）、電気部品２２の基板の厚さをＴ２（例えば２ｍｍ）とした場合、次式（２）を満たすように構成する。
【００２６】
【数３】
2019132568.tif 000005
【００２７】
このような角度θとすることで収納部２３の容積を最小限とすることができるため、発泡断熱材１８を充填する空間の確保や冷蔵室７の容積を確保することができ、かつ、外板１５の天板部と収納部２３の底部２４がなす角度θを鋭角化できるため、底面２４に沿って設ける真空断熱材１７の配置を簡素化することができる。
【実施例３】
【００２８】
図５は図２におけるＡ−Ａ断面の上部拡大図である。本実施例では、外箱１５の天板部と収納部２３の底部２４がなす角度θを極力鋭角化し、電気部品２２の発熱が冷蔵室７へ進入するのを防ぐために収納部２３の底部２４に設けている真空断熱材１７の取り付け構造を簡素化し熱漏洩を防ぐ構造を有している。また収納部２３の容積を最小とし、電気部品２２の発熱が冷蔵室７へ進入するのを防ぐための断熱構造をより多く設けるために、電気部品２２の前方向よりの収納部２３に段差部２７を設けている。具体的には、収納部２３に収納される電気部品２２の前後方向の長さをＬ１（例えば１２０ｍｍ）、電気部品２２の外板の後面投影高さをＴ１（例えば４０ｍｍ）、電気部品２２と電気部品２２の上部にある保護蓋との接触や電気的絶縁を考慮した安全距離をｔ（例えば３０ｍｍ）とした場合、次式（３）を満たすように構成する。
【００２９】
【数４】
2019132568.tif 000006
【００３０】
このような角度θとすることで収納部２３の容積を最小限とすることができるため、発泡断熱材１８を充填する空間の確保や冷蔵室７の容積を確保することができ、かつ、外板１５の天板部と収納部２３の底部２４がなす角度θを鋭角化できるため、底面２４に沿って設ける真空断熱材１７の配置を簡素化することができる。さらに電気部品２２の前方向よりの収納部２３に段差部２７を設けることで、収納部２３の前方部に発泡断熱材１８を充填することが可能となり、さらなる熱漏洩量の低下を図ることができる。
【００３１】
以上のような実施例に係る冷蔵庫によれば、冷蔵庫内部の食品収納スペースの容積を確保しつつ、外箱と内箱の間に設けた電気部品を収納する空間の周辺に配置する真空断熱材の構造を簡素化することによるコストダウンと、電気部品を収納する空間の周辺で発生する熱漏洩量を抑えた冷蔵庫を提供することができる。
【００３２】
なお上記実施例は全て、電気部品を収納する収納部を断熱箱体上部に設けた場合として記載しているが、収納部を設ける部位は、断熱箱体の左右側面部や、後面部、下面部に設けても良い。
【符号の説明】
【００３３】
１              冷蔵庫本体
２              断熱箱体
３ａ、３ｂ      断熱扉
４ａ、４ｂ      断熱扉
５              断熱扉
６              断熱扉
７              冷蔵室
８ａ            製氷室
８ｂ            上段冷凍室
９              冷凍室
１０            野菜室
１１            ヒンジ
１２            断熱仕切り
１３            仕切り部材
１４            断熱仕切り
１５            外箱
１６            内箱
１７            真空断熱材
１８            発泡断熱材
１９ａ、１９ｂ  冷却器
２０            圧縮機
２１ａ、２１ｂ  送風機
２２            電気部品
２３            収納部
２４            収納部の底面
２５            保護蓋
２６            機械室
２７            段差部
【図１】
2019132568.tif 000009
【図２】
2019132568.tif 000010
【図３】
2019132568.tif 000011
【図４】
2019132568.tif 000012
【図５】
2019132568.tif 000013